(57)【要約】      （修正有）【課題】特別遊技の移行・継続が確定した状況下、当該特別遊技において遊技者に付与される利益内容をハード的に決定する手段の提供。【解決手段】特定領域への誘導が確定する特定領域誘導確定領域と通常領域のいずれかに遊技球を振り分ける、第一振分部６１と、第一振分部で特定領域誘導確定領域に振り分けられた遊技球を、遊技者に付与される利益状態の異なる複数の特定領域のいずれかに更に振分ける、第二振分部６２と、を有する振分装置を備えたパチンコ遊技機。【選択図】図２
2008113822.tif 000002
【特許請求の範囲】
【請求項１】
通常遊技と当該通常遊技よりも遊技者にとって有利な特別遊技を実行可能なパチンコ遊技機であって、遊技球が入球可能な入球口を有すると共に、当該入球口を介して入球した遊技球を、通常領域及び前記特別遊技に関連した特定領域のいずれかに振り分ける振分装置を有するパチンコ遊技機において、
前記振分装置は、
前記特定領域への誘導が確定する特定領域誘導確定領域と前記通常領域のいずれかに遊技球を振り分ける、第一振分部と、
前記第一振分部で前記特定領域誘導確定領域に振り分けられた遊技球を、遊技者に付与される利益状態の異なる複数の特定領域のいずれかに更に振分ける、第二振分部と、
を有することを特徴とする、パチンコ遊技機。
【請求項２】
前記第一振分部は、遊技球が入球した場合に下方に落下し得る通常領域確定穴と、遊技球が入球した場合に下方に落下し得る特定領域誘導確定穴とを有する、水平型振分体であり、
前記第二振分部は、前記通常領域確定穴からの遊技球を前記通常領域に誘導する通常領域穴と、前記特定領域誘導確定穴からの遊技球を前記複数の特定領域のいずれかに誘導する、前記複数の特定領域に対応して複数存在する特定領域誘導穴とを有する、前記第一振分部の真下に配された水平型振分体であり、
前記第一振分部と前記第二振分部とは、共通する中心軸を有すると共に、当該中心軸回りに前記第一振分部及び／又は前記第二振分部を回転させ、前記第一振分部と前記第二振分部の相対位置を変化させた場合、前記第一振分部の前記特定領域誘導確定穴が前記第二振分部上に描く円軌跡上に前記第二振分部の複数の前記特定領域誘導穴が存在し、かつ、前記第一振分部の前記特定領域誘導確定穴に遊技球が入球した際、前記第二振分部のいずれかの前記特定領域誘導穴が当該特定領域誘導確定穴の真下に存在しない場合には、当該遊技球が当該特定領域誘導確定穴に待機する間隔で配置されており、
更に、前記中心軸回りに前記第一振分部及び／又は前記第二振分部を回転させる振分部回転手段を有する、
請求項１記載のパチンコ遊技機。
【請求項３】
前記円軌跡上に配された複数の前記特定領域誘導穴は、前記中心軸を基準とした円周角が、相互に同一、一部同一又はすべてが相違するような位置に配置されている、請求項２記載のパチンコ遊技機。
【請求項４】
前記特定領域誘導確定領域に振り分けられた遊技球を前記複数の特定領域のいずれかに更に振分ける際、前記複数の特定領域への振分率を制御する、特定領域振分率制御手段を更に有する、請求項１〜３のいずれか一項記載のパチンコ遊技機。
【請求項５】
前記特定領域振分率制御手段は、前記振分部回転手段の回転速度を制御することにより実行する、請求項４記載のパチンコ遊技機。
【発明の詳細な説明】
【技術分野】
【０００１】
本発明は、通常遊技と、当該通常遊技よりも遊技者にとって有利な特別遊技を実行可能なパチンコ遊技機に関し、特に、当該特別遊技関連要件（例えば、特別遊技移行要件や特別遊技継続要件）として、遊技領域内（例えば振分装置内）に存在する特定領域に遊技球が通過することが条件に課されたタイプのパチンコ遊技機に関する。
【背景技術】
【０００２】
現在、ホール遊技場においては、多種多様なパチンコ遊技機が存在する。その中で、従来第二種といわれている機種（特許文献１参照）は、特別遊技移行までのプロセスに高い興趣性があることに加え、比較的少ない投資で特別遊技移行が期待できるため、高齢者を中心として人気を博している。ここで、当該機種は、遊技盤上の始動口に打球が入賞したことにより、可変入賞口が所定回数（例えば１回又は２回）開閉する第１段階特別遊技を実行すると共に、当該第１段階特別遊技の際に特定領域といわれる通常領域とは異なる可変入賞口内の領域に遊技球が流入した場合には、更に第２段階特別遊技が実行されるように構成されている。ここで、第２段階特別遊技は、入球個数が所定数（例えば１０個）に達するか所定時間（例えば３０秒）経過するまで開状態を継続する「単位遊技」を複数回実行し得る、という遊技内容である（第１段階特別遊技も、第２段階特別遊技とは条件が異なるものの「１回の単位遊技」から構成される）。
【０００３】
ところで、現在の遊技機の中には、単位遊技の継続条件を特に課していない（即ち、予め内部で設定された単位遊技数が常に実行される）機種と、前記特定領域への通過を単位遊技の継続条件として課している機種が存在する。ここで、前者の機種については、単位遊技数を一律に定めている機種もあるが、内部抽選により単位遊技数を決定する機種も多い。また、後者の機種については、単位遊技中に前記特定領域に通過する限り、内部的に定められた単位遊技数の上限に到達するまで特別遊技は継続するものの、多くの機種は、単位遊技中における前記特定領域への通過をアシストする単位遊技数を内部抽選により決定し、アシストされる当該単位遊技が終了した後は、単位遊技中に前記特定領域への通過が難儀となる。このように、いずれの機種においても、多くは、ソフト的な内部抽選により、事実上継続が保証されている単位遊技数を決定するように構成されている。
【特許文献１】特開２００１−３５３２８１
【発明の開示】
【発明が解決しようとする課題】
【０００４】
このように、従来機では、特別遊技の継続単位遊技数の決定は、ソフト的な内部抽選で実行される。したがって、電磁波等による不正行為を受ける可能性があることに加え、遊技者は当該抽選プロセスを認識できず、遊技者に不利な継続単位遊技数の決定が続いたような場合には、当該遊技機に対する不信感を募らせる結果となる。そこで、本発明は、特別遊技の移行・継続（従来の第２種であれば、第２段階特別遊技への移行）が確定した状況下、当該特別遊技において遊技者に付与される利益内容をハード的に決定する手段を提供することを目的とする。
【課題を解決するための手段】
【０００５】
本発明（１）は、通常遊技と当該通常遊技よりも遊技者にとって有利な特別遊技を実行可能なパチンコ遊技機であって、遊技球が入球可能な入球口（可変部材６４）を有すると共に、当該入球口（可変部材６４）を介して入球した遊技球を、通常領域（通常領域Ｔ）及び前記特別遊技に関連した特定領域（特定領域Ａ、特定領域Ｂ）のいずれかに振り分ける振分装置（振分装置６０）を有するパチンコ遊技機において、
前記振分装置（振分装置６０）は、
前記特定領域（特定領域Ａ、特定領域Ｂ）への誘導が確定する特定領域誘導確定領域（特定領域誘導確定穴６１ｂ）と前記通常領域（通常領域Ｔ）のいずれかに遊技球を振り分ける、第一振分部（第一振分部６１）と、
前記第一振分部（第一振分部６１）で前記特定領域誘導確定領域（特定領域誘導確定穴６１ｂ）に振り分けられた遊技球を、遊技者に付与される利益状態の異なる複数の特定領域（特定領域Ａ、特定領域Ｂ）のいずれかに更に振分ける、第二振分部（第二振分部６２）と、
を有することを特徴とする、パチンコ遊技機である。
【０００６】
本発明（２）は、前記第一振分部（第一振分部６１）は、遊技球が入球した場合に下方に落下し得る通常領域確定穴（通常領域誘導確定穴６１ａ）と、遊技球が入球した場合に下方に落下し得る特定領域誘導確定穴（特定領域誘導確定穴６１ｂ）とを有する、水平型振分体（横型振分体）であり、
前記第二振分部（第二振分部６２）は、前記通常領域確定穴（通常領域誘導確定穴６１ａ）からの遊技球を前記通常領域（通常領域Ｔ）に誘導する通常領域穴（通常領域誘導穴６２ｂ）と、前記特定領域誘導確定穴（特定領域誘導確定穴６１ｂ）からの遊技球を前記複数の特定領域（特定領域Ａ、特定領域Ｂ）のいずれかに誘導する、前記複数の特定領域（特定領域Ａ、特定領域Ｂ）に対応して複数存在する特定領域誘導穴（特定領域誘導穴６２ｃ−１、特定領域誘導穴６２ｃ−２）とを有する、前記第一振分部（第一振分部６１）の真下に配された水平型振分体であり、
前記第一振分部（第一振分部６１）と前記第二振分部（第二振分部６２）とは、共通する中心軸（駆動軸６３ａ）を有すると共に、当該中心軸回りに前記第一振分部（第一振分部６１）及び／又は前記第二振分部（第二振分部６２）を回転させ、前記第一振分部（第一振分部６１）と前記第二振分部（第二振分部６２）の相対位置を変化させた場合、前記第一振分部（第一振分部６１）の前記特定領域誘導確定穴（特定領域誘導確定穴６１ｂ）が前記第二振分部（第二振分部６２）上に描く円軌跡上に前記第二振分部（第二振分部６２）の複数の前記特定領域誘導穴（特定領域誘導穴６２ｃ−１、特定領域誘導穴６２ｃ−２）が存在し、かつ、前記第一振分部（第一振分部６１）の前記特定領域誘導確定穴（特定領域誘導確定穴６１ｂ）に遊技球が入球した際、前記第二振分部（第二振分部６２）のいずれかの前記特定領域誘導穴（特定領域誘導穴６２ｃ−１、特定領域誘導穴６２ｃ−２）が当該特定領域誘導確定穴（特定領域誘導確定穴６１ｂ）の真下に存在しない場合には、当該遊技球が当該特定領域誘導確定穴（特定領域誘導確定穴６１ｂ）に待機する間隔で配置されており、
更に、前記中心軸回りに前記第一振分部（第一振分部６１）及び／又は前記第二振分部（第二振分部６２）を回転させる振分部回転手段（駆動手段６３）を有する、
前記発明（１）のパチンコ遊技機である。
【０００７】
本発明（３）は、前記円軌跡上に配された複数の前記特定領域誘導穴（特定領域誘導穴６２ｃ−１、特定領域誘導穴６２ｃ−２）は、前記中心軸を基準とした円周角が、相互に同一、一部同一又はすべてが相違するような位置に配置されている、前記発明（２）のパチンコ遊技機である。
【０００８】
本発明（４）は、前記特定領域誘導確定領域に振り分けられた遊技球を前記複数の特定領域（特定領域Ａ、特定領域Ｂ）のいずれかに更に振分ける際、前記複数の特定領域（特定領域Ａ、特定領域Ｂ）への振分率を制御する、特定領域振分率制御手段（振分率制御手段１５０）を更に有する、前記発明（１）〜（３）のいずれか一つのパチンコ遊技機である。
【０００９】
本発明（５）は、前記特定領域振分率制御手段（振分率制御手段１５０）は、前記振分部回転手段（駆動手段６３）の回転速度を制御することにより実行する、前記発明（４）のパチンコ遊技機である。
【００１０】
ここで、本特許請求の範囲及び本明細書中で用いられる用語の意義について説明する。「特別遊技に関連した特定領域」とは、当該領域への遊技球の入球により、特別遊技実行の可否又はその内容が決定される領域である限り特に限定されず、例えば、（１）当該領域への遊技球の入球が特別遊技の開始条件となる領域、（２）当該領域への遊技球の入球が特別遊技の継続条件となる領域、を挙げることができる。
【００１１】
ここで、本発明（１）〜（５）が適用されることが好適なパチンコ遊技機は、
遊技球が流入可能な始動入球口（始動入賞口３ａ及び３ｂ）と、
開状態と閉状態を採り得る、通常領域と特定領域を内部に有する可変入賞口（振分装置６０）と、
前記始動入球口（始動入賞口３ａ及び３ｂ）への遊技球の入球に基づき、特定条件下、前記可変入賞口（振分装置６０）を開状態とする第一の特別遊技を実行すると共に、当該第一の特別遊技の際に前記可変入賞口（振分装置６０）に入球した遊技球が前記特定領域に入球した場合には、前記可変入賞口（振分装置６０）又はこれとは別の可変入賞口を開状態とする第二の特別遊技を実行する、特別遊技制御手段（特別遊技制御手段Ａ）とを有する機種である。
【００１２】
ここで、「開状態」とは、遊技球が流入し易い状態を指し、「閉状態」とは、遊技球が流入不能な状態や遊技球が流入困難な状態を指す。「入賞」とは、賞球が払出に係る入球口である。「始動入球口への遊技球の入球に基づき」とは、（１）始動口に遊技球が入球したとき、ただちに第一の特別遊技に移行する場合のみならず、（２）始動口に遊技球が入球したことを受けて、内部的に抽選を行い、抽選に当選した場合に第一の特別遊技に移行する場合や、（３）始動口に遊技球が入球したことを受けて、内部的に抽選を行い、抽選に当選した場合、通常は閉状態である可変入球口（例えば電動チューリップ）を開状態にし、この可変入球口に遊技球が入球した場合に、第一の特別遊技に移行する場合、をも包含する。
【発明の効果】
【００１３】
本発明（１）によれば、第一振分部での遊技球の振り分けで特別遊技に基づく利益付与がまずは確定し、当該確定後に当該遊技球は更に第二振分部に誘導され、付与利益の異なる複数の特定領域のいずれかに機械的に振り分けられるように構成されている。即ち、利益付与の確定→利益付与内容の決定、という基本プロセスを維持しつつも、当該プロセスをハード的に実行しているので、電磁波による不正行為の標的となり難いことに加え、利益付与内容の決定プロセスが遊技者に一目瞭然であるため、不利な利益付与が継続しても遊技者を納得させることが可能になるという効果を奏する。
【００１４】
本発明（２）によれば、前記発明（１）の効果に加え、第二振分部でどの特定領域に振分られるかを、第一振分部での特定領域誘導確定領域への遊技球の落下時における第二振分部の位置（第一振分部に対する第二振分部の相対位置）に基づき決定するように構成したので、第二振分部での振分を第一振分部でのそれと完全に独立させた場合と比較すると、振り分けのランダムさを低減させることが可能となるので、当該遊技機の出球率の算定が容易になるという効果を奏する。
【００１５】
本発明（３）によれば、前記発明（２）の効果に加え、複数の特定領域の円周角を相互に調整（すべて同一・一部同一・すべて相違）するだけで、複数の特定領域のそれぞれへの振分率を適宜調整することが可能になるという効果を奏する。
【００１６】
本発明（４）によれば、前記発明（１）〜（３）の効果に加え、複数の特定領域への振分率を制御する特定領域振分率制御手段を更に有するように構成されているので、遊技釘を全く調整しなくとも、ホール側の営業形態に対応させた出球率を設定することができるという効果を奏する。
【００１７】
本発明（５）によれば、前記発明（４）の効果に加え、振分部回転手段の回転速度を制御することにより振分率の変更を実行するように構成されているので、ある特定領域の振分率を変化させる際に当該特定領域の円周角を変化させる必要が無くなるという効果を奏する。
【発明を実施するための最良の形態】
【００１８】
以下、本発明を実施するための最良の形態につき説明する。但し、あくまで最良の形態であり、本発明が適用可能なパチンコ遊技機、各手段が存在する場所や機能等、各種処理に関しての各ステップの順序、フラグのオン・オフのタイミング、各ステップの処理を担う手段名等については、以下の態様に限定されるものではない。例えば、本最良形態では、従来の第２種遊技機を例にとって説明するが、特別遊技の継続条件又は開始条件として特定領域の通過を条件とする機種であれば特に限定されず、例えば従来の第１種遊技機や第３種遊技機（＋複合機）も本発明の対象となり得る。更に、以下で具体的に記載した各種数値（例えば、単位遊技における入賞個数の上限値である９や１０、単位遊技数である７や１４等）はあくまで例示であり、これらの数値に何ら限定されるものではない。また、本最良形態における振分装置は、特別遊技時における利益付与の中心的役割を担う「大入賞口」としても機能しているが、当該大入賞口を別に設けるように構成したものも、本発明の範囲内である。
【００１９】
更に、以下の最良形態では、始動入賞口に入賞したことに基づく振分装置（大入賞口）の開閉動作を「第一の特別遊技」と称し、前記第一の特別遊技の際に入賞した遊技球が振分装置（大入賞口）内の特定領域を通過したことに基づく振分装置（大入賞口）の継続的な開閉動作を「第二の特別遊技」と称している。尚、第一の特別遊技と第二の特別遊技とは有機的に連結しているものであるので、実際の機種においては、両者を併せて「特別遊技」と称している。
【００２０】
はじめに、本発明の最良形態に係るパチンコ遊技機の一例を、図を参照しながら説明する。図１に示すように、該パチンコ遊技機は、外枠に対して前枠が回動可能に固定されている構成を採っている。該前枠には、遊技領域１を有する遊技盤を収容する収容枠が形成されており、この収容枠に遊技盤が保持されている。該遊技盤には、内レール及び外レールにより区画された遊技領域１が形成されており、この遊技領域１に、通常遊技時には閉状態であり、以下で説明する第一の特別遊技及び第二の特別遊技時は開状態（開閉を繰り返す状態）になる、図示しないソレノイドで駆動される振分装置６０（可変入賞口や大入賞口とも称される）と、第一の特別遊技移行に係る、遊技球が流入可能な始動入賞口３ａ及び３ｂと、いずれの入賞口にも入賞しなかった打球を遊技領域１外に排出するためのアウト口２０と、が設けられている。また、前枠右下には、遊技領域１へ遊技球を発射する際の発射強度を連続的又は段階的に変化させ得るハンドルを備えた遊技球発射装置１０が設置されている。更に、所定の音や音声を発するスピーカ１１が、上皿前面部に設けられている。以下、図２〜図６を参照しながら、本発明の特徴である振分装置６０の構造等について詳述する。
【００２１】
まず、図２は、本最良形態に係る振分装置６０の展開図であり、図３は、本最良形態に係る振分装置６０の斜視図である。図示するように、振分装置６０は、円形状の第一振分部６１（上段）及び円形状の第二振分部６２（下段）を備えている。ここで、第一振分部６１は、その内部に第二振分部６２を収納可能である。そして、組み立て時には、図３に示すように、これら振分部は、第一振分部６１の内部で第二振分部６２が重なった構造を採っている。更に、主制御装置１００からの指示に基づいて、回転駆動・変速・停止を実行する駆動手段６３を有している。そして、当該駆動手段６３の駆動軸６３ａは、第二振分部６２の貫通穴６２ａを介して、第一振分部６１の裏面中央下部と嵌合し、第一振分部６１を第二振分部６２に対して相対的に回転させる。加えて、この振分装置６０は、その上部に、通常は閉状態であるが所定条件下で開状態となる、図示しないソレノイドで駆動される可変部材６４を備えている。そして、可変部材６４が開状態であるときに、振分装置６０内に遊技球が入球可能な入球口αが形成されることになる。以下、第一振分部６１及び第二振分部６２を順に詳述する。
【００２２】
まず、図４は、第一振分部６１の上面図である。この図から分かるように、第一振分部６１は、略円形のベース部６１αと、その周囲を取り囲む円形の回転ステージ部６１βとから構成される水平型振分体である。ここで、ベース部６１αは、遊技球が入球した場合に下方に落下し得る５個の通常領域誘導確定穴６１ａ（後述する第二振分部６２の「通常領域誘導穴６２ｂ」への遊技球の誘導が確定する穴、換言すれば、「通常領域Ｔ」への遊技球の誘導が確定する穴）と、遊技球が入球した場合に下方に落下し得る特定領域誘導確定穴６１ｂ（後述する第二振分部６２の二つの「特定領域誘導穴６２ｃ−１及びｃ−２」のいずれかへの遊技球の誘導が確定する穴、換言すれば、「特定領域Ａ」か「特定領域Ｂ」のいずれかへの遊技球の誘導が確定する穴）とを有する、ベース部６１α及びその周囲を取り囲む回転ステージ部６１βとから構成される水平型振分体である。ここで、特定領域誘導確定穴６１ｂの長さ（Ｘ）は、通常領域誘導確定穴６１ａのそれ（Ｙ）よりも大きく設定されている。そして、図６に示すように、通常領域誘導確定穴６１ａは、ベース部６１α端部でただちに下方に開口している。したがって、当該穴６１ａに入球した遊技球は、ただちに下方に落下する（後述するように、第二振分部６２の、内壁６２αと外壁６２βとの間のリング状間隙に落下する）。他方、特定領域誘導確定穴６１ｂは、ベース部６１α端部では開口しておらず、より奥（円の中心により近いポイント）で下方に開口している（落下・待機部６１ｂ−１）。したがって、当該穴６１ｂに入球した遊技球の落下場所は、前述した通常領域誘導確定穴６１ａのそれとは異なる（後述するように、第二振分部６２の、内壁６２αの内側に落下する）。次に、前述した回転ステージ６１βは、図３から分かるように、内側に傾斜（バンク）した構造を採っている。この回転ステージ６１βには、同じく図３から分かるように、振分装置６０の上部に設けられた入球口αから入球した遊技球を導入するための導入口６５ａを有する導入路６５が接続されている。そして、当該導入口６５ａを介して回転ステージ６１βに導入された遊技球は、速度が大きいうちは当該回転ステージ６１β上で公転し続けるが、速度が小さくなるにつれ遠心力も低下する結果、バンクの傾斜によりベース部６１α側に誘導される。その結果、当該遊技球は、ベース部６１αに設けられたいずれかの穴（通常領域誘導確定穴６１ａ、特定領域誘導確定穴６１ｂ）に入球する。
【００２３】
ここで、遊技球が通常領域誘導確定穴６１ａに入球した場合には、当該遊技球に起因した特別遊技関連利益（第二段階特別遊技移行）が付与されないことが確定する。具体的には、当該遊技球は、第一振分部６１の真下に配されている第二振分部６２に設けられた通常領域誘導穴６２ｂに落下する（この機構については後述する）。他方、遊技球が特定領域誘導確定穴６１ｂに入球した場合には、当該遊技球に起因した特別遊技関連利益付与（第二段階特別遊技移行）が確定する。具体的には、当該遊技球は、第一振分部６１の真下に配されている第二振分部６２に設けられたいずれかの特定領域誘導穴（６２ｃ−１又は６２ｃ−２）に落下する（この機構についても後述する）。
【００２４】
次に、図５及び図６を参照しながら、第二振分部６２の構造を説明する。ここで、図５は、第二振分部６２の上面図であり、図６は、第二振分部６２の斜視図（第二振分部６２の上部には第一振分部６１の断面図が表示）である。これら図より分かるように、第二振分部６２は、底面からそそり立ち上面が開口した内外二つの円柱壁（内壁６２α、外壁６２β）を有する、第一振分部の真下に配された水平型振分体である。尚、内壁６２α内側の底面は、内外二つの円柱壁間隙の底面よりも高く構成されている（これについては後述する）。
【００２５】
より詳細に説明すると、図６に示されるように、まず、外壁６２β側面下部には、通常領域誘導穴６２ｂが設けられている。そして、図５に示すように、第一振分部６１の通常領域誘導確定穴６１ａに遊技球が入球した場合、当該遊技球は、ただちに下方に位置する第二振分部６２の、内壁６２αと外壁６２β間の空隙（遊技球の幅よりも多少広い空隙）に落下する。そして、当該空隙の底面は、外壁側面下部に設けられた通常領域誘導穴６２ｂに向かって傾斜しており、当該落下した遊技球は、当該底面に沿って下っていき、通常領域誘導穴６２ｂに到達した後、当該穴をくぐり、図１に示す通常領域Ｔ（遊技球感知センサ）に到達する。そして、通常領域Ｔに遊技球が入球した場合には、特別遊技関連利益が付与されること無く、所定の賞球のみが払い出される。
【００２６】
また、図５及び図６に示すように、内壁６２αの内側底面の、内壁６２近傍には、二つの特定領域誘導穴６２ｃ−１及び６２ｃ−２が設けられている。そして、特定領域誘導穴６２ｃ−１は、図１に示す特定領域Ａ（遊技球感知センサＡ）に誘導され、また、特定領域誘導穴６２ｃ−２は、当該穴の下方に設けられた図１に示す特定領域Ｂ（遊技球感知センサＢ）に誘導される。ここで、これらの特定領域で遊技球が感知されると、特別遊技関連利益（第二段階特別遊技移行）が付与されることになる。ここで、複数の特定領域誘導穴６２ｃ−１及び６２ｃ−２は、付与される特別遊技関連利益の内容が相互に異なる。具体的には、特定領域誘導穴６２ｃ−１に遊技球が入球した場合、１４ラウンド継続する第二段階特別遊技への移行が確定する。他方、特定領域誘導穴６２ｃ−２に遊技球が入球した場合、７ラウンド継続する第二段階特別遊技への移行が確定する。
【００２７】
次に、第一振分部６１と第二振分部６２との位置関係と動きについて詳述する。まず、図２に示すように、第一振分部６１と第二振分部６２とは、共通する中心軸（駆動軸６３ａが中心軸として機能）を有する。ここで、第一振分部６１と第二振分部６２とは、前述のように、経時的に互いに相対位置が変化する。具体的には、本最良形態では、第一振分部６１は、中心軸回りを自転（駆動手段６３で駆動）する一方、第二振分部６２は、固定された状態にある。尚、両振分部の相対位置が経時的に変化すればよいので、第一振分部６１を固定し第二振分部６２を回転させるように構成したり、第一振分部６１と第二振分部６２を異なる速度又は異なる方向で回転させるように構成してもよい。
【００２８】
ここで、当該中心軸回りに第一振分部６１を回転させ、第一振分部６１と第二振分部６２の相対位置を変化させた場合、図６から分かるように、第一振分部６１の通常領域誘導確定穴６１ａが第二振分部６２上に描く円軌跡上には、前述の内壁６２αと外壁６２βとの間のリング状間隙が存在する。したがって、第一振分部６１が第二振分部６２を基準としてどのような回転位置に存在していたとしても、当該穴６１ａを落下した遊技球は、このリング状間隙を通り、最終的には外壁６２βに形成された通常領域誘導穴６２ｂに導かれる。
【００２９】
他方、第一振分部６１の特定領域誘導確定穴６１ｂが第二振分部６２上に描く円軌跡上には、同じく図６から分かるように、第二振分部６２の二つの特定領域誘導穴６２ｃ−１及び６２ｃ−２が存在する。したがって、第一振分部６１が第二振分部６２を基準としてどのような回転位置に存在しているかにより、当該穴６１ｂを落下した遊技球が特定領域誘導穴６２ｃ−１及び６２ｃ−２のいずれに誘導されるかが変わる。
【００３０】
ここで、図６に示すように、第二振分部６２の内壁６２αの内側の底面は、内壁６２α及び外壁６２βとの間のリング状間隙の底面よりも、底上げが施されている。したがって、第一振分部６１の特定領域誘導確定穴６１ｂに遊技球が入球した際、第二振分部６２のいずれかの特定領域誘導穴（６２ｃ−１又は６２ｃ−２）が当該特定領域誘導確定穴６１ｂの真下に存在しない場合には、当該遊技球は、当該特定領域誘導確定穴６１ｂの落下・待機部６１ｂ−１で待機することになる。
【００３１】
次に、図７を参照しながら、パチンコ遊技機の背面側における基本構造を説明する。パチンコ遊技機は、パチンコ遊技機の全体動作の制御（即ち、遊技者の利益と直接関係する制御）を行う主制御装置（メイン基板）１００と、特別遊技時のラウンド数と入球個数を表示する等の制御を実行する表示制御装置（サブ基板）２００と、賞球タンク１９ａ、賞球レール１９ｂ及び各入賞口への入賞に応じて賞球タンク１９ａから供給される遊技球を上球皿へ払い出す払出ユニット等を備える賞球払出機構（セット基盤）１９と、払出ユニットによる払出動作を制御する賞球払出制御手段（賞球制御装置）３００の他、上球皿の遊技球（貯留球）を遊技領域１へ１球ずつ発射する発射装置と、発射装置の発射動作を制御する発射制御基板と、パチンコ遊技機の各部へ電力を供給する電源ユニットと、パチンコ遊技機の電源をオンオフするスイッチである電源スイッチ等が、前枠裏面（遊技側と反対側）に設けられている。
【００３２】
次に、図８のブロック図を参照しながら、本最良形態に係るパチンコ遊技機の各種手段について説明する。まず、主制御装置１００は、各周辺機器、即ち、第一及び第二の特別遊技の際に開状態となり得る大入賞口として機能する振分装置６０、第一特別遊技の移行に係る、遊技球が入賞可能な始動入賞口３ａ及び３ｂ、振分装置６０内のディスプレー６５での各種表示制御を司る表示制御装置２００と情報伝達可能に接続している。以下、まず、主制御装置１００について詳述する。
【００３３】
主制御装置１００は、通常遊技よりも遊技者にとって有利な特別遊技の実行等の制御を司る特別遊技制御手段Ａと、振分装置６０内の第一振分部６１の回転制御を司る振分部回転制御手段Ｂと、各種情報等を表示制御装置２００側に送信するための情報送信手段１７０と、を有している。ここで、特別遊技制御手段Ａは、所定条件下での始動入賞口３ａ又は３ｂの入賞を条件として、振分装置６０の可変部材を所定回数開閉する「第一特別遊技」に関する制御を行う第一特別遊技移行判定実行手段１１０と、第一特別遊技時における振分装置６０の特定領域（特定領域Ａ又は特定領域Ｂ）への遊技球の流入を条件として、振分装置６０の可変部材６４を所定回数開閉する単位遊技を所定回数行う「第二特別遊技」に関する制御を行う第二特別遊技移行判定実行手段１３０と、を有している。また、振分部回転制御手段Ｂは、第一振分部６１の特定領域誘導確定穴６１ｂに入球した場合、当該遊技球を特定領域Ａ及び特定領域Ｂのいずれかに振り分ける際の振分率を制御する振分率制御手段１５０を更に有している。
【００３４】
ここで、第一特別遊技移行判定実行手段１１０は、始動入賞口３ａ又は３ｂに遊技球が入賞したか否かを判定する始動入賞口入賞判定手段１１１と、第一特別遊技関連の各種フラグのオンオフ制御を行う第一特別遊技関連フラグ制御手段１１２と、特定領域の有効時間を管理するための時間管理手段１１３と、一定条件の下、大入賞口として機能する振分装置６０の可変部材６４を所定回数（所定時間）開閉させる第一特別遊技を実行するための第一特別遊技実行手段１１４と、有効時間内に特定領域（特定領域Ａ又は特定領域Ｂ）を遊技球が通過（流入）したか否かを判定する特定領域通過判定手段１１５とを有している。ここで、時間管理手段１１３は、有効時間をセット可能なデクリメントカウンタである特定領域有効タイマ１１３ａを更に有している。
【００３５】
次に、第二特別遊技移行判定実行手段１３０は、第一特別遊技の際にいずれの特定領域（特定領域Ａ又は特定領域Ｂ）に遊技球が流入したかに基づき、第二特別遊技の内容（具体的にラウンド数）を決定するための第二特別遊技内容決定手段１３６と、特別遊技中の各種パラメータの状態（例えば、ラウンド数、入賞個数、経過時間）が更新されたか否かを判定すると共に、当該各種パラメータの最新情報をメモリ１３１ａに記録する特別遊技状態記録判定実行手段１３１と、第二特別遊技関連の各種フラグのオンオフ制御を行う第二特別遊技関連フラグ制御手段１３２と、一定条件の下、大入賞口として機能する振分装置６０の可変部材を所定回数（所定時間）開閉する単位遊技を実行するための第二特別遊技実行手段１３４と、次の単位遊技に移行するための条件を充足するか否かを判定する第二特別遊技継続判定手段１３５とを有している。ここで、特別遊技状態記録判定実行手段１３１は、特別遊技中の各種パラメータの状態（例えば、ラウンド数、入賞個数、経過時間）を一時的に記録するメモリ１３１ａを更に有している。
【００３６】
次に、周辺機器の内、前述した振分装置６０以外の、始動入賞口３ａ及び３ｂ並びに表示制御手段２００について説明する。まず、始動入賞口３ａ及び３ｂは、遊技球の入賞により信号を発生するセンサを備えている。次に、表示制御装置２００は、主制御装置１００側から表示に関する各種情報を受信するための情報受信手段２１０と、振分装置６０内のディスプレー６５上での各種表示に関する制御を行う表示制御手段２２０とを有している。
【００３７】
次に、図９のフローチャートを参照しながら、本最良形態に係るパチンコ遊技機の、主制御装置１００側での主な処理の流れについて説明する。まず、主制御装置１００は、始動入賞口３ａ又は３ｂへの遊技球の流入に基づき、大入賞口として機能する振分装置６０の可変部材６４を所定回数（所定時間）開閉する第一の特別遊技へ移行させるか否かの判定を行う第一の特別遊技移行判定処理３００、一定条件の下、大入賞口として機能する振分装置６０の可変部材６４を所定回数（所定時間）開閉する第一の特別遊技を実行する第一の特別遊技実行処理５００、一定条件の下、大入賞口として機能する振分装置６０の可変部材６４の開閉を所定回数（所定時間）行う第二の特別遊技を実行する第二の特別遊技実行処理７００、振分装置６０の第一振分部６１の回転速度を制御する振分部回転制御処理８００、各種入賞口への遊技球の流入に基づき賞球払出の決定処理を行う賞球払出処理９００を実行する。尚、各処理は、当該処理の実行条件を充足した場合に当該処理を行い、充足しない場合は当該処理をスキップして次の処理に移行する。以下、各ステップについて詳述する。
【００３８】
まず、図１０のフローチャートを参照しながら、本最良形態に係るパチンコ遊技機の第一の特別遊技移行判定処理３００について説明する。まず、ステップ３０２で、第一特別遊技移行判定実行手段１１０は、現在特別遊技中でないか否か、具体的には、特別遊技中に発生する各種フラグ（例えば、第一の特別遊技実行フラグ、第二の特別遊技実行フラグ、第二の特別遊技継続フラグ、特定領域有効フラグ等）がオフであるか否かを判定する。ステップ３０２でＹｅｓの場合、ステップ３０４で、始動入賞口入賞判定手段１１１は、始動入賞口３ａ又は３ｂに入賞したか否かを判定する。ステップ３０４でＹｅｓの場合、ステップ３０６で、第一特別遊技関連フラグ制御手段１１２は、第一の特別遊技実行フラグをオンにし、次の処理（第一の特別遊技実行処理５００）に移行する。尚、ステップ３０２及びステップ３０４でＮｏの場合にも、次の処理（第一の特別遊技実行処理５００）に移行する。
【００３９】
次に、図１１のフローチャートを参照しながら、本最良形態に係るパチンコ遊技機の第一の特別遊技実行処理５００について説明する。まず、ステップ５０２で、第一特別遊技移行判定実行手段１１０は、第一の特別遊技実行フラグがオンであるか否かを判定する。ステップ５０２でＹｅｓの場合、ステップ５０４で、第一特別遊技移行判定実行手段１１０は、特定領域有効フラグがオフであるか否か、即ち、第一の特別遊技実行中でないか否かを判定する。ここで、ステップ５０４でＮｏの場合、以後のステップ５０６からステップ５１０をスキップしてステップ５１２に移行する。他方、ステップ５０４でＹｅｓの場合には、ステップ５０６で、時間管理手段１１３は、特定領域有効タイマ１１３ａに所定時間をセットしタイマをスタートする。次に、ステップ５０８で、第一特別遊技関連フラグ制御手段１１２は、特定領域有効フラグをオンにする。そして、ステップ５１０で、第一特別遊技実行手段１１４は、大入賞口として機能する振分装置６０の可変部材６４のソレノイドを駆動して当該可変部材６４を所定回数（所定時間）開閉する｛例えば、始動入賞口３ａに入賞した場合には２回（０．５秒×２）、始動入賞口３ｂに入賞した場合には１回（０．７秒×１）｝。次に、ステップ５１２で、特定領域通過判定手段１１５は、振分装置６０内のいずれかの特定領域（特定領域Ａ及び特定領域Ｂ）を遊技球が流入したか否かを判定する。ステップ５１２でＹｅｓの場合、ステップ５１４で、第一特別遊技関連フラグ制御手段１１２は、第二の特別遊技内容実行フラグをオンにする。次に、ステップ５３０で、特定領域通過判定手段１１５は、通過した特定領域が特定領域Ａであるか否かを判定する。ステップ５３０でＹｅｓの場合、ステップ５３２で、第一特別遊技関連フラグ制御手段１１２は、Ａフラグをオンにする。他方、ステップ５３０でＮｏの場合、即ち、通過した特定領域が特定領域Ｂである場合には、ステップ５１６に移行する。尚、ここで、第一特別遊技中に、振分装置６０内に複数の遊技球が入球した結果、特定領域Ａと特定領域Ｂの両方を通過する場合がある。この場合には、本最良形態では、利益状態のより高い特定領域Ａの通過を優先するように構成されている。そして、ステップ５１６で、第一特別遊技関連フラグ制御手段１１２は、第一の特別遊技実行フラグをオフにする。次に、ステップ５２２で、第一特別遊技関連フラグ制御手段１１２は、特定領域有効フラグをオフにし、次の処理（第二の特別遊技実行処理７００）に移行する。
【００４０】
他方、ステップ５１２でＮｏの場合、ステップ５２４で、時間管理手段１１３は、特定領域有効タイマ１１３ａにセットした残り時間が０になったか否かを判定する。ステップ５２４でＹｅｓの場合には、ステップ５１６に移行する。尚、ステップ５０２及びステップ５２４でＮｏの場合には、次の処理（第二の特別遊技実行処理７００）に移行する。
【００４１】
次に、図１２のフローチャートを参照しながら、本最良形態に係るパチンコ遊技機の第二の特別遊技実行処理７００について説明する。まず、ステップ７０２で、第二特別遊技移行判定実行手段１３０は、第二の特別遊技実行フラグがオンであるか否かを判定する。ステップ７０２でＹｅｓの場合、ステップ７５０で、第二特別遊技内容決定手段１３６は、Ａフラグがオンであるか否かを判定する。そして、ステップ７５０でＹｅｓの場合、ステップ７５２及びステップ７５４で、第二特別遊技内容決定手段１３６は、Ａフラグをオフにすると共に、第二特別遊技の継続ラウンド数（所定Ｒ数）として「１４」をセットし、ステップ７０４に移行する。他方、ステップ７５０でＮｏの場合、ステップ７５６で、第二特別遊技内容決定手段１３６は、第二特別遊技の継続ラウンド数（所定Ｒ数）として「７」をセットし、ステップ７０４に移行する。そして、ステップ７０４で、特別遊技状態記録判定実行手段１３１は、メモリ１３１ａをクリアして、記録されているラウンド数を「０」にする。次に、ステップ７０６及び７０８で、第二特別遊技関連フラグ制御手段１３２は、第二の特別遊技実行フラグをオフにすると共に第二の特別遊技継続フラグをオンにし、ステップ７１４に移行する。他方、ステップ７０２でＮｏの場合、ステップ７１０で、第二特別遊技移行判定実行手段１３０は、第二の特別遊技継続フラグがオンであるか否か、即ち、現在第二の特別遊技実行中であるか否かを判定する。ステップ７１０でＹｅｓの場合、ステップ７１２で、第二特別遊技移行判定実行手段１３０は、開閉継続フラグがオフであるか否か、即ち、現在、単位遊技と単位遊技の間の可変部材６４が閉状態である状況であるか否かを判定する。ステップ７１２でＹｅｓの場合、ステップ７１４に移行する。尚、ステップ７１２でＮｏの場合は、後述のステップ７２０に移行する。
【００４２】
次に、ステップ７１４で、特別遊技状態記録判定実行手段１３１は、メモリ１３１ａに記録されているＲ数に１を加算するよう更新する。次に、ステップ７１６で、第二特別遊技関連フラグ制御手段１３２は、開閉継続フラグをオンにした後、ステップ７１８で、第二特別遊技実行手段１３４は、振分装置６０の可変部材６４の開閉駆動を開始する。次に、ステップ７２８で、第二特別遊技実行手段１３４は、単位遊技中の入賞個数の上限値である所定球数（例えば１０個）の遊技球の入賞があったか否かを判定する。ステップ７２８でＹｅｓの場合、ステップ７３２に移行する。他方、ステップ７２８でＮｏの場合、ステップ７３０で、第二特別遊技実行手段１３４は、所定回数（所定時間）開閉動作（例えば１８回）を行ったか否かを判定する。そして、ステップ７３０でＹｅｓの場合にも、ステップ７３２に移行する。そして、ステップ７３２で、第二特別遊技実行手段１３４は、振分装置６０の可変部材６４の開閉駆動を終了する。次に、ステップ７３４で、第二特別遊技関連フラグ制御手段１３２は、開閉継続フラグをオフにする。そして、ステップ７４０で、第二特別遊技継続判定手段１３５は、ラウンド数メモリ１３３ｃ及びメモリ１３１ａを参照して、現在のラウンド数がラウンド数メモリ１３３ｃに記憶されている継続ラウンド数（所定Ｒ数）に到達したか否か、即ち、最終ラウンドであるか否かを判定する。ステップ７４０でＹｅｓの場合、ステップ７３６で、第二特別遊技関連フラグ制御手段１３２は、第二の特別遊技継続フラグをオフにし、次の処理（振分部回転制御処理８００）に移行する（即ち、第二の特別遊技は終了）。尚、ステップ７１０で、ステップ７３０及びステップ７４０でＮｏの場合にも、次の処理（振分部回転制御処理８００）に移行する。
【００４３】
次に、図１３のフローチャートを参照しながら、本最良形態に係るパチンコ遊技機の振分部回転制御処理８００について説明する。まず、ステップ８０２で、振分率制御手段１５０は、所定条件を充足したか否かを判定する。ここで、「所定条件」とは、例えば、所定の始動口（例えば始動入賞口３ａ及び３ｂ）への遊技球の入球を契機として乱数を取得し、当該乱数が当選値である場合を挙げることができる。そして、ステップ８０２でＹｅｓの場合、ステップ８０４で、振分率制御手段１５０は、遊技者に有利な振分率となるような回転パターンをセットする。その後、ステップ８０６で、振分部回転制御手段Ｂは、セットされた回転パターンで回転するよう駆動手段６３を駆動制御し、次の処理（賞球払出処理９００）に移行する。具体的には、例えば、回転方向が時計回りである場合には、図４の特定領域誘導確定穴６１ｂが、図５のθ２部に差し掛かった際の、θ２部における回転速度を遅くする。これにより、当該確定穴６１ｂのθ２部での滞在時間が長くなるため、当該確定穴６１ｂに入球した場合に、利益状態が高い特定領域誘導穴６２ｃ−１（特定領域Ａへの誘導穴）に入球する確率が向上する。例えば、円周角が１２０度であるθ２部での回転速度をθ１部及びθ３部部のそれの１／２とすることにより、第一振分部６１の特定領域誘導確定穴６１ｂに入球した際の、特定領域Ａと特定領域Ｂとの振分率が同一となる。更に、例えばθ２部での回転速度をθ１部及びθ３部のそれの１／２未満とすることにより、第一振分部６１の特定領域誘導確定穴６１ｂに入球した際の、特定領域Ａの振分率は特定領域Ｂのそれより大きくなる。或いは、通常時は時計回りであるが、半時計回りにするよう回転パターンをセットしてもよい。この場合、等速時における特定領域Ａの振分率が２倍となる。
【００４４】
他方、ステップ８０２でＮｏの場合、ステップ８０８で、振分率制御手段１５０は、時計回りで等速の振分率となるような回転パターンをセットする。その後、ステップ８１０で、振分部回転制御手段Ｂは、セットされた回転パターンで回転するよう駆動手段６３を駆動制御し、次の処理（賞球払出処理９００）に移行する。この場合、振分率は、特定領域Ａ：特定領域Ｂ＝１：２となる。
【００４５】
次に、図１４のタイミングチャート（＋図１５及び図１６の作用図）を参照しながら、本発明の最良形態に係るパチンコ遊技機の作用を説明する。ここで、図１４中、「第一振分部の円周角」は、第一振分部６１及び第二振分部６２の中心軸（駆動軸６３ａ）から正面に向かう線Ｌ（図４参照）を基準（０°）とした場合における、第一振分部６１の矢印部（図４参照）の回転方向に関する円周角（図４中のθ）である。「特定領域Ａ確定ゾーン」は、このタイミング（図中の「ゾーン内」）で遊技球が第一振分部６１の特定領域誘導確定穴６１ｂに遊技球が入球した場合、特定領域Ａへの入球が確定する領域である。「特定領域Ｂ確定ゾーン」は、このタイミング（図中の「ゾーン内」）で遊技球が第一振分部６１の特定領域誘導確定穴６１ｂに遊技球が入球した場合、特定領域Ｂへの入球が確定する領域である。また、「落下タイミング」は、当該タイミングで遊技球が、第一振分部６１の通常領域確定穴６１ａか特定領域誘導確定穴６１ｂのいずれかに落下したことを意味する。加えて、「第一段階特別遊技」は、オンの場合は当該特別遊技中であり、オフの場合には当該特別遊技が終了したことを意味する。最後に、「第二段階特別遊技」は、オンの場合は当該特別遊技中であり、オフの場合には当該特別遊技が終了したことを意味する。
【００４６】
そこで、当該タイミングチャートに従い説明すると、まず、第一段階特別遊技中に振分装置６０内の通常領域確定穴に遊技球が入球した場合には、どのようなタイミングで当該穴に入球しても、第二段階特別遊技には移行しない。
【００４７】
次に、第一段階特別遊技中に振分装置内の特定領域誘導確定穴に遊技球が入球した場合には、遊技球が当該穴に入球するタイミングによって第二段階特別遊技の内容が異なる。まず、図中の「タイミングＡ」で遊技球が特定領域誘導確定穴６１ｂに入球した場合、特定領域Ａへの遊技球の入球が確定する。ここで、図１５は、「タイミングＡ」で遊技球が第一振分部６１の特定領域誘導確定穴６１ｂに入球し｛図１５（Ａ）｝、そして、当該遊技球が第二振分部６２の特定領域誘導穴６２ｃ−２に入球｛図１５（Ｂ）｝する様子を示した図である。そして、遊技球が特定領域Ａに入球したことを受け、ラウンド継続数が７ラウンドである第二特別遊技に移行する。他方、図中の「タイミングＢ」で遊技球が特定領域誘導確定穴６１ｂに入球した場合、特定領域Ｂへの遊技球の入球が確定する。ここで、図１６は、「タイミングＢ」で遊技球が第一振分部６１の特定領域誘導確定穴６１ｂに入球し｛図１６（Ａ）｝、そして、当該遊技球が第二振分部６２の特定領域誘導穴６２ｃ−１に入球｛図１６（Ｂ）｝する様子を示した図である。そして、遊技球が特定領域Ｂに入球したことを受け、ラウンド継続数が１４ラウンドである第二特別遊技に移行する。
【００４８】
本最良形態によれば、第一振分部での遊技球の振り分けで特別遊技に基づく利益付与がまずは確定し、当該確定後に当該遊技球は更に第二振分部に誘導され、付与利益の異なる複数の特定領域のいずれかに機械的に振り分けられるように構成されている。即ち、利益付与の確定→利益付与内容の決定、という基本プロセスを維持しつつも、当該プロセスをハード的に実行しているので、電磁波による不正行為の標的となり難いことに加え、利益付与内容の決定プロセスが遊技者に一目瞭然であるため、不利な利益付与が継続しても遊技者を納得させることが可能になるという効果を奏する。
【００４９】
更に、第二振分部でどの特定領域に振分られるかを、第一振分部での特定領域誘導確定領域への遊技球の落下時における第二振分部の位置（第一振分部に対する第二振分部の相対位置）に基づき決定するように構成したので、第二振分部での振分を第一振分部でのそれと完全に独立させた場合と比較すると、振り分けのランダムさを低減させることが可能となるので、当該遊技機の出球率の算定が容易になるという効果を奏する。
【００５０】
更に、複数の特定領域の円周角を相互に調整（すべて同一・一部同一・すべて相違）するだけで、複数の特定領域のそれぞれへの振分率を適宜調整することが可能になるという効果を奏する。
【００５１】
更に、複数の特定領域への振分率を制御する特定領域振分率制御手段を更に有するように構成されているので、遊技釘を全く調整しなくとも、ホール側の営業形態に対応させた出球率を設定することができるという効果を奏する。
【００５２】
更に、振分部回転手段の回転速度を制御することにより振分率の変更を実行するように構成されているので、ある特定領域の振分率を変化させる際に当該特定領域の円周角を変化させる必要が無くなるという効果を奏する。
【００５３】
更に、第一振分部が常時一定のパターンで回転している場合でも、振分装置内に入球した遊技球が第一振分部の特定領域誘導確定穴に入った角度を見ることによって、遊技者は第二振分部のどちらの特定領域誘導穴に入るかある程度認識することができるという、遊技の流れの中に遊技者がドキドキする新たな局面を付加することが可能になるという効果を奏する。同じく、第一振分部が常時一定のパターンで回転している場合（例えば周期がＴ）でも、第一振分部の特定領域誘導確定穴への遊技球の入球タイミングがある期間内（０〜Ｔ１）である場合には利益状態が低く、第一振分部の特定領域誘導確定穴への遊技球の入球タイミングがある期間内（Ｔ１〜Ｔ）である場合には利益状態が高いといった具合に、時間により付加価値の高低を作ることができるという効果をも奏する。
【００５４】
尚、本最良形態においては、第一振分部に設けられた通常領域誘導確定穴と特定領域誘導確定穴は単なる穴であり、第二振分部に設けられた通常領域誘導穴と特定領域誘導穴も単なる穴として構成し、内部処理的に実際に振分が実行されるのは、第二振分部外に設けられた、前記通常領域誘導穴と接続している通常領域の感知センサと前記特定領域誘導穴と接続している特定領域の感知センサに感知された瞬間である。しかしながら、内部的にどこの位置で振分が確定したかということは本発明の本質ではなく、本発明は、第一振分部で「特別遊技に係る利益を付与するか否か」ということが実質的に決定され、第一振分部で特別遊技に係る利益付与が実質的に決定された場合、第二振分部で「どのような利益を付与するのか」ということが実質的に決定されることを本質とする。したがって、例えば、（１）第一振分部の「通常領域誘導確定穴」が「通常領域（感知センサ）」である形態、（２）第二振分部の「通常領域誘導穴」が「通常領域（感知センサ）」である形態、（３）第二振分部の二つの「特定領域誘導穴」が「特定領域Ａ（感知センサＡ）」及び「特定領域Ｂ（感知センサＢ」である形態、更には、（４）第一振分部の「特定領域誘導確定穴」が「特定領域（感知センサ）」であり、更に、第二振分部における二つの「特定領域誘導穴」が「付与利益決定穴α（感知センサα）」及び「付与利益決定穴β（感知センサβ）」である形態、であってもよい。
【００５５】
更には、振分部の数は二個に限定されるものではなく、前述のように、ある振分部（又は複数の振分部が協同した形で）で「特別遊技に係る利益を付与するか否か」ということが実質的に決定され、それ以後の振分部（又は複数の振分部が協同した形で）で「どのような利益を付与するのか」が決定される限り、本発明の範囲内である。例えば、穴が２個（一方が当選穴）ある第一振分部で第一段階初回の振分を行い、同じく穴が２個（一方が当選穴）ある第二振分部穴で第二段階二回目の振分を行うことにより、特別遊技に係る利益付与を確定させる。その後、穴が２個（一方が当選穴）ある第三振分部で第二段階初回の振分を行い、同じく穴が２個（一方が当選穴）ある第四振分部穴で第二段階二回目の振分を行うことにより、特別遊技に係る利益の内容を決定する。このような形態も本発明に属する。
【００５６】
同様に、本最良形態での特別遊技に関連した付与利益は２パターン（第二特別遊技のラウンド数が７ラウンドと１４ラウンド）であるがこれに限定されず、「どのような利益を付与するのか」は複数である限り何パターンであってもよい。例えば、本最良形態における第二振分部に穴を三つ設け、当該穴に入球したときに付与される利益の程度が、第一穴＞第二穴＞第三穴、となるように構成したものも、本発明に属する。
【図面の簡単な説明】
【００５７】
【図１】図１は、本発明の最良形態に係るパチンコ遊技機の正面図である。
【図２】図２は、本発明の最良形態に係るパチンコ遊技機の振分装置（全体）のパーツ展開図である。
【図３】図３は、本発明の最良形態に係るパチンコ遊技機の振分装置（全体）の概略構成図である。
【図４】図４は、本発明の最良形態に係るパチンコ遊技機の振分装置（第一振分部）における横断面の上面図である。
【図５】図５は、本発明の最良形態に係るパチンコ遊技機の振分装置（第二振分部）における横断面の上面図である。
【図６】図６は、本発明の最良形態に係るパチンコ遊技機の振分装置（第一振分部、第二振分部）の斜視図である。
【図７】図７は、本発明の最良形態に係るパチンコ遊技機の背面図である。
【図８】図８は、本発明の最良形態に係るパチンコ遊技機の機能ブロック図である。
【図９】図９は、本発明の最良形態に係るパチンコ遊技機における、主制御装置側でのメインフローチャートである。
【図１０】図１０は、本発明の最良形態に係るパチンコ遊技機における、主制御装置側での第一の特別遊技移行判定処理のフローチャートである。
【図１１】図１１は、本発明の最良形態に係るパチンコ遊技機における、主制御装置側での第一の特別遊技実行処理のフローチャートである。
【図１２】図１２は、本発明の最良形態に係るパチンコ遊技機における、主制御装置側での第二の特別遊技実行処理のフローチャートである。
【図１３】図１３は、本発明の最良形態に係るパチンコ遊技機における、主制御装置側での振分部回転制御処理のフローチャートである。
【図１４】図１４は、本発明の最良形態に係るパチンコ遊技機における作用を示すタイミングチャートの一例である。
【図１５】図１５は、本発明の最良形態に係るパチンコ遊技機における作用を示す図である。
【図１６】図１６は、本発明の最良形態に係るパチンコ遊技機における作用を示す図である。
【符号の説明】
【００５８】
６０  振分装置
６１  第一振分部
６１ａ  通常領域誘導確定穴
６１ｂ  特定領域誘導確定穴
６２  第二振分部
６２ｂ  通常領域誘導穴
６２ｃ−１  特定領域誘導穴
６２ｃ−２  特定領域誘導穴
６３  駆動手段
６４  可変部材
１５０  振分率制御手段
【図１】
2008113822.tif 000003
【図２】
2008113822.tif 000004
【図３】
2008113822.tif 000005
【図４】
2008113822.tif 000006
【図５】
2008113822.tif 000007
【図６】
2008113822.tif 000008
【図７】
2008113822.tif 000009
【図８】
2008113822.tif 000010
【図９】
2008113822.tif 000011
【図１０】
2008113822.tif 000012
【図１１】
2008113822.tif 000013
【図１２】
2008113822.tif 000014
【図１３】
2008113822.tif 000015
【図１４】
2008113822.tif 000016
【図１５】
2008113822.tif 000017
【図１６】
2008113822.tif 000018